(57)【要約】  【課題】  前記番組ガイドを表示する操作がなされてから，直ちに前記番組ガイドを表示することが可能であり，かつ視聴者が番組の内容を十分に想起することが可能なチャンネル選択装置，及びそれを具備するテレビジョン受像機，及びチャンネル選択方法を提供することにある。  【解決手段】  出力対象として設定されているチャンネルのテレビ番組信号を抽出する機能に加えて，それと同時に巡回的に前記複数チャンネルの中から順次選択されたチャンネルのテレビ番組信号を順次抽出する機能を有し，前記出力対象のチャンネルのテレビ番組信号に基づく番組映像に併せて，順次抽出されるテレビ番組信号に基づく複数チャンネルの番組映像を最新のものに更新しつつ一覧表示させる機能を有するチャンネル選択装置として構成される。【選択図】図１
2006140593.tif 000002
【特許請求の範囲】
【請求項１】
入力されたテレビ放送信号から出力対象とするテレビ番組信号のチャンネルを選択するチャンネル選択装置であって，
前記テレビ放送信号の中から予め出力対象として選択されているチャンネルのテレビ番組信号を抽出する第１の選局手段と，
前記テレビ放送信号の中から巡回的に順次選択したチャンネルのテレビ番組信号を順次抽出する第２の選局手段と，
前記第１の選局手段により抽出されたテレビ番組信号に基づく第１のテレビ番組映像と前記第２の選局手段により順次抽出される最新の複数チャンネル分のテレビ番組信号各々に基づく複数の第２のテレビ番組映像とを併せて表示手段に一覧表示させる番組映像一覧表示制御手段と，
前記番組映像一覧表示制御手段により前記表示手段に表示された前記第２のテレビ番組映像の中から操作入力に従って一の映像を選択することにより，その選択された映像に対応するチャンネルを新たな出力対象として選択する出力対象チャンネル選択手段と，
を具備してなることを特徴とするチャンネル選択装置。
【請求項２】
前記第２の選局手段により順次抽出された最新の複数チャンネル分のテレビ番組信号又はその各々に基づく複数の前記第２のテレビ番組映像の情報を記憶する第２テレビ番組映像記憶手段を具備し，
前記番組映像一覧表示制御手段が，前記第２テレビ番組映像記憶手段の記憶情報に基づく複数の映像を前記第２のテレビ番組映像の初期映像として前記表示手段に表示させてなる請求項１に記載のチャンネル選択装置。
【請求項３】
前記第１の選局手段及び前記第２の選局手段が，放送形態の異なる複数のテレビ放送信号各々について設けられ，
前記番組映像一覧表示制御手段が，前記複数のテレビ放送信号に対応する前記第２のテレビ番組映像を前記放送形態ごとに区分して前記表示手段に表示させてなる請求項１又は２のいずれかに記載のチャンネル選択装置。
【請求項４】
前記テレビ番組信号各々に対応する番組案内情報を取得する番組案内情報取得手段と，
前記表示手段に，前記番組映像一覧表示制御手段により表示させた前記テレビ番組映像と併せてこれに対応する前記番組案内情報を表示させる番組案内情報表示制御手段と，
を具備してなる請求項１〜３のいずれかに記載のチャンネル選択装置。
【請求項５】
請求項１〜４のいずれかに記載のチャンネル選択装置を具備してなることを特徴とするテレビジョン受像機。
【請求項６】
入力されたテレビ放送信号から出力対象とするテレビ番組信号のチャンネルを選択するチャンネル選択方法であって，
前記テレビ放送信号の中から予め出力対象として選択されているチャンネルのテレビ番組信号を抽出する第１の選局工程と，
前記テレビ放送信号の中から巡回的に順次選択したチャンネルのテレビ番組信号を順次抽出する第２の選局工程と，
前記第１の選局工程により抽出されたテレビ番組信号に基づく第１のテレビ番組映像と前記第２の選局工程により順次抽出される最新の複数チャンネル分のテレビ番組信号各々に基づく複数の第２のテレビ番組映像とを併せて表示手段に一覧表示させる番組映像一覧表示制御工程と，
前記番組映像一覧表示制御工程により前記表示手段に表示された前記第２のテレビ番組映像の中から操作入力に従って一の映像を選択することにより，その選択された映像に対応するチャンネルを新たな出力対象として選択する出力対象チャンネル選択工程と，
を有してなることを特徴とするチャンネル選択方法。
【発明の詳細な説明】
【技術分野】
【０００１】
本発明は，視聴者によるチャンネル選択（選局）を補助するべく各チャンネルの番組映像を一覧表示し，それにより表示される番組映像の中から選択されたチャンネルを新たな出力対象のチャンネルとして設定するチャンネル設定装置，及びそれを具備するテレビジョン受像機，あるいはチャンネル選択方法である。
【背景技術】
【０００２】
近年，ＣＡＴＶ放送や衛星放送等，デジタル信号を用いた多チャンネル放送が急速に普及しつつあり，各家庭で受信可能なチャンネル数が飛躍的に増大しつつある。そこで，視聴者のチャンネル選択を補助すべく，昨今のテレビ受像機には，複数のチャンネル各々で現在放送中の番組の内容（番組の静止画像，もしくはテキストによる番組の説明など）を一覧表示する機能が設けられたものがある。
例えば，特許文献１には，本体装置を操作するリモコンに設けられたマルチ画面スイッチの操作により，現在放送されている複数のチャンネルにおける番組の静止画像を一覧表示し，一覧表示された画像のいずれかを選択する操作を行うことにより，その番組が出力対象のチャンネルとして設定される電子番組ガイド表示制御装置が開示されている。
【特許文献１】特開平８−２８９２１４号公報
【発明の開示】
【発明が解決しようとする課題】
【０００３】
しかしながら，上述の特許文献１に記載の技術では，リモコンに設けられたマルチ画面スイッチの操作がなされたときに，番組ガイドに用いられる複数のチャンネル各々の静止画像の抽出が開始されるので，それらの静止画像を抽出すべきチャンネル数が多い場合には，前記マルチ画面スイッチの操作を行ってから前記番組ガイドが表示されるまでには時間がかかるという問題点がある。また，デジタル放送の放送信号に対しては，前記番組ガイドに用いられる画像を得るまでにデ・スクランブル（スクランブル解除），デ・マルチプレクサ（映像信号及び音声信号の抽出）等の時間のかかる処理を要するため，上述の問題点は更に顕著になる。
また，前記番組ガイドに用いられる静止画像を抽出するタイミング悪い場合（例えば，ＣＭ放送中に静止画像を抽出した場合）には，視聴者はその静止画像から十分に番組の内容を想起することが出来ないという問題点もある。
従って，本発明は上記事情に鑑みてなされたものであり，その目的とするところは，前記番組ガイドを表示する操作がなされてから，直ちに前記番組ガイドを表示することが可能であり，かつ視聴者が番組の内容を十分に理解することが可能なチャンネル選択装置，及びそれを具備するテレビジョン受像機，及びチャンネル選択方法を提供することにある。
【課題を解決するための手段】
【０００４】
上記目的を達成するために本発明は，複数チャンネル分のテレビ放送信号の中から予め出力対象として設定されているチャンネルのテレビ番組信号を抽出する機能に加えて，それと同時に巡回的に前記複数チャンネルの中から順次選択されたチャンネルのテレビ番組信号を順次抽出する機能を有し，前記出力対象のチャンネルのテレビ番組信号に基づく番組映像に併せて，順次抽出されるテレビ番組信号に基づく複数チャンネルの番組映像を最新のものに更新しつつ一覧表示させ，一覧表示させた番組映像から操作入力により選択された番組映像に対応するチャンネルを新たな出力対象のチャンネルとして選択するチャンネル選択装置として構成される。
これにより，番組映像の更新（前記複数チャンネルのテレビ番組信号の順次抽出）と同時に，出力対象であるチャンネルのテレビ番組信号を抽出することが可能であるため，出力対象のチャンネルの番組映像を動画で通常通りに視聴しながら，新たな出力対象のチャンネルの選択を行うことが可能である。また，番組映像を抽出するタイミングが悪く，その番組映像からは十分に番組の内容を想起することが出来ない場合であっても，複数チャンネルのテレビ番組信号が巡回的に順次抽出され，かつ順次抽出された最新のテレビ番組信号に基づいて表示される番組映像が更新されるため，視聴者は更新された番組映像に基づいて十分に番組の内容を理解した上で出力対象のチャンネルを選択を行うことが可能である。
【０００５】
ここで，順次抽出された最新の複数チャンネル分のテレビ番組信号，又はその各々に基づく複数の番組映像の情報を記憶しておき，記憶された情報に基づく複数の映像を一覧表示の初期映像として用いることが考えられる。
これにより，番組映像の一覧表示を要求する操作入力がなされた場合には，記憶された情報に基づく映像を一覧として表示すればよいので，一覧表示の操作入力がなされた後に番組映像の抽出処理等を行う必要がなく，敏速に番組映像の一覧を表示することが可能である。
また，出力対象のチャンネルのテレビ番組信号の抽出と，巡回的に前記複数チャンネルのテレビ番組信号の順次抽出と，を放送形態の異なる複数のテレビ番組信号各々について行い，前記番組映像を放送形態毎に区分して一覧表示する場合が考えられる。
これにより，放送形態の異なるテレビ放送信号から抽出された番組であっても，それらの番組映像が一覧として表示されるので，例えば，表示する放送形態の切替操作等を順次行いながら出力対象となる番組を選択するといった場合に比べて，操作性が格段に優れたものとなる。
更に，前記テレビ放送信号各々に対応する番組案内情報を取得し，前記番組映像各々と併せて，前記番組映像各々に対応する前記番組案内情報を表示させることも考えられる。
これにより，視聴者は前記番組映像各々に加えて前記番組案内情報も参照した上で出力対象のチャンネルの選択を行うことが可能である。
尚，本発明は以上のチャンネル選択装置を具備するテレビジョン受像機，及びチャンネル選択方法として捉えたものであってもよい。
【発明の効果】
【０００６】
本発明によれば，複数チャンネル分のテレビ放送信号の中から予め出力対象として設定されているチャンネルのテレビ番組信号を抽出する機能に加えて，その機能の稼動と同時に巡回的に前記複数チャンネルの中から順次選択されたチャンネルのテレビ番組信号を順次抽出する機能を有しているので，出力対象となっている選択チャンネルの番組映像を動画で表示すると共に，前記複数チャンネルの中から順次選択されたチャンネルのテレビ番組信号に基づく番組映像を順次更新しつつ表示することが可能である。
【発明を実施するための最良の形態】
【０００７】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施形態に係るチャンネル選択装置により表示される番組ガイドの表示の一例を示す図，図２は本発明の実施形態に係るチャンネル選択装置Ａを具備するテレビジョン受像機Ｘの概略構成を示す図，図３は本発明の実施形態に係るチャンネル選択装置Ａによる２画面表示の一例を示す図。図４は本発明の実施形態に係るチャンネル選択装置Ａによる番組ガイド作成及び表示のまでの処理手順を示すフローチャート，図５は本発明の実施形態に係るチャンネル選択装置による番組ガイド表示後の処理手順を示すフローチャートである。
【０００８】
（１）チャンネル選択装置の機能の概要について
本実施形態に係るチャンネル選択装置は，複数チャンネル分の番組映像情報（映像信号）と音声情報（音声信号）とを含むテレビ放送信号を入力し，前記複数チャンネルのテレビ放送信号から出力対象とするチャンネル（以下，選択チャンネルという）を選択（設定）するものである。
前記チャンネル選択装置は，地上波アナログ放送，地上波デジタル放送，ＢＳデジタル放送の３つの放送形態の異なるテレビ放送信号を入力し，それらから前記選択チャンネルとして設定されるチャンネルのテレビ放送信号を抽出する第１の抽出機能，及び，前記第１の抽出機能の稼動と同時に，上述した３つの放送形態によるテレビ放送信号各々の中から巡回的に順次選択したチャンネルのテレビ放送信号（以降，１チャンネル分のテレビ放送信号をテレビ番組信号という）を抽出する第２の抽出機能を有する。
前記第１の抽出機能と前記第２の抽出機能との同時稼動は，典型的にはそれらの抽出機能各々を専門的に担当する２つのチューナを，上述の異なる放送形態（地上波アナログ放送，地上波デジタル放送，ＢＳデジタル放送）毎に設けることにより実現される。
【０００９】
また，前記チャンネル選択装置は，視聴者が前記選択チャンネルを選択するのを補助するべく，前記第１及び第２の抽出機能に基づいて抽出された番組映像を，番組ガイドとして一覧表示する機能を有している。
図１は，前記チャンネル選択装置による番組ガイドの表示の一例を示した図である。以下，図１を用いて，前記番組ガイドにより表示される複数チャンネルの番組に関する情報について簡単に説明する。
前記番組ガイドは主に，その時点の選択チャンネルのテレビ番組信号に基づく番組映像αと，巡回的に前記複数チャンネルの中から順次選択されたチャンネルのテレビ番組信号に基づく番組映像βと，の表示により構成される。
前記番組映像αは，前記第１の抽出機能により前記テレビ放送信号から抽出された，前記選択チャンネルにおけるテレビ番組信号に基づいた番組映像である。前記第１の抽出機能により，前記選択チャンネルにおけるテレビ番組信号が継続して抽出され，前記番組映像は動画で表示される。
前記番組映像β各々は，上述の３つの放送形態毎のテレビ放送信号により放送される複数のチャンネルの番組映像であり，前記第２の抽出機能により抽出されたテレビ番組信号に基づくものである。尚，前記第２の抽出機能は複数のチャンネルのテレビ番組信号を巡回的に順次抽出するものであることから，前記番組映像２を動画の表示を継続することは不可能であるが，前記番組映像２を静止画で表示しつつ，それらの静止画を巡回的に抽出されたテレビ番組信号に基づいて順次更新することは可能である。
【００１０】
（２）  本発明に係るチャンネル選択装置の機能を実現する構成の概略について
図２は，前記チャンネル選択装置を具備するテレビジョン受像機の概略構成を示す図である。
以下，図２を参照しつつ，本発明の実施形態に係るチャンネル選択装置Ａ，及びそれを具備するテレビジョン受像機Ｘの概略構成を説明する。
図２に示されるように，前記チャンネル選択装置Ａは，地上アナログチューナ２Ａ，地上アナログチューナ２Ｂ，地上デジタルチューナ４Ａ，地上デジタルチューナ４Ｂ，ＢＳデジタルチューナ６Ａ，ＢＳデジタルチューナ６Ｂ，地上アナログ受信回路７Ａ，地上アナログ受信回路７Ｂ，地上デジタル受信回路８Ａ，地上デジタル受信回路８Ｂ，ＢＳデジタル受信回路９Ａ，ＢＳデジタル受信回路９Ｂ，入力信号切替装置１０，制御部１１，入力部１２，映像処理回路１３，映像合成回路１４，静止画像抽出部１５，画像メモリ１６，番組情報メモリ１７，重畳回路１８等により概略構成される。
一方，前記テレビジョン受像機Ｘは，前記チャンネル選択装置Ａに加え，映像出力回路１９，映像出力装置２０，音声処理回路２１，音声出力回路２２，音声出力装置２３等を具備して概略構成される。
【００１１】
地上波アナログ放送による複数チャンネル分の映像信号及び音声信号が重畳されたテレビ放送信号は，地上アナログアンテナ１により受信され，該地上アナログアンテナ１に接続された前記地上アナログチューナ２Ａ，及び前記地上デジタルチューナ２Ｂ各々に入力される。また，地上波デジタル放送による複数チャンネル分のテレビ放送信号は地上デジタルアンテナ３により受信され，該地上デジタルアンテナ３に接続された前記地上デジタルチューナ４Ａ，及び前記地上デジタルチューナ４Ｂ各々に入力される。同様に，ＢＳデジタル放送による複数チャンネル分のテレビ放送信号はＢＳデジタルアンテナ５により受信され，該ＢＳデジタルアンテナ５に接続された前記ＢＳデジタルチューナ６Ａ，及び前記ＢＳデジタルチューナ６Ｂ各々に入力される。
前記地上アナログチューナ２Ａ，前記地上デジタルチューナ４Ａ，前記ＢＳデジタルチューナ６Ａは，前述の第一の抽出機能を実現する第一の選局手段の一例であり，受信されたテレビ放送信号から，前記制御部１１により設定されている選択チャンネルのテレビ番組信号を抽出する。抽出された前記選択チャンネルにおける前記テレビ番組信号各々は，前記地上アナログ受信回路７Ａ，前記地上デジタル受信回路８Ａ，前記ＢＳデジタル受信回路９Ａにそれぞれ入力される。それらの回路では，前記テレビ番組信号各々から映像信号及び音声信号が抽出される。
尚，前記３つの放送形態によるそれぞれの前記テレビ放送信号に含まれる前記テレビ番組信号各々には，複数のチャンネルにおける番組情報（番組の内容情報，番組の放送時間帯の情報等）を表すＥＰＧ信号も重畳されている。
【００１２】
前記地上アナログ受信回路７Ａ，前記地上デジタル受信回路８Ａ，前記ＢＳデジタル受信回路９Ａ各々により抽出された映像信号及び音声信号は，前記入力信号切替装置１０に入力される。前記入力信号切替装置１０では，入力された前記映像信号及び前記音声信号から，前記制御部１１からの制御指令に従って１つ（詳しくは後述の通常モードに切り替えられた場合）または２つ（詳しくは後述の２画面表示モードＡにおいて，同じ放送形態に属する２つのチャンネルを選択チャンネルとする場合）の映像信号及び１つの音声信号を選択する。
尚，前記制御部１１は，ＭＰＵ及びその周辺機器であるＲＯＭ，ＲＡＭ等を備え，該ＲＯＭに記憶されている制御プログラムを実行することにより，当該テレビジョン受像機Ｘの統括的な制御を行うものである。また，前記入力部１２は，例えばリモコンによる当該テレビジョン受像機Ｘに対する操作に関する信号の受信部，若しくは当該テレビジョン受像機Ｘの外面等に設けられた操作スイッチ類等の総称であり，視聴者による操作入力を前記制御部１１に伝達する機能を有する。
【００１３】
前記入力信号切替装置１０により選択された前記映像信号は前記映像処理回路１３に入力され，所定の信号処理（例えば，前記映像信号からの水平及び垂直同期信号の分離，その同期信号に位相同期したクロック信号の生成，映像信号からの輝度信号及び色信号の分離，所定の画質改善処理など）が施された上で，前記映像合成回路１４に入力される。前記映像合成回路１４の機能は後述する。
一方，前述のように，前記地上アナログチューナ２Ｂ，前記地上デジタルチューナ４Ｂ，前記ＢＳデジタルチューナ６Ｂ各々にもそれぞれに応じた放送形態のテレビ放送信号が入力される。前記地上アナログチューナ２Ｂ，前記地上デジタルチューナ４Ｂ，前記ＢＳデジタルチューナ６Ｂは，前記制御部１１による制御に従って，複数の放送形態における複数のチャンネルのうちの１つを巡回的に順次選択し，入力されたテレビ放送信号から選択したチャンネルのテレビ番組信号を抽出するものである。例えば，基本的な巡回パターンとして，前記制御部１１は，チャンネル番号の小さなチャンネルからチャンネル番号の大きなチャンネルへと一巡してテレビ番組信号を抽出するよう（全てのチャンネルにおけるテレビ番組信号を一様に抽出するよう）に，前記地上アナログ受信回路７Ｂ，地上デジタル受信回路８Ｂ，ＢＳデジタル受信回路９Ｂ各々を制御する。また，前記巡回パターンによる制御は繰り返し実行される。尚，前記地上アナログチューナ２Ｂ，前記地上デジタルチューナ４Ｂ，前記ＢＳデジタルチューナ６Ｂ各々が前述の第２の抽出機能を実現する第２の選局手段の一例である。ここで，前記地上アナログチューナ２Ｂ，前記地上デジタルチューナ４Ｂ，前記ＢＳデジタルチューナ６Ｂ各々は，前記選択チャンネルを含む複数のチャンネル全てのテレビ番組信号を巡回的に抽出するものであってもよいし，前記複数のチャンネルから前記選択チャンネルを除外した各チャンネルを巡回的に選択し，それらの選択されたチャンネルのテレビ番組信号を順次抽出するものであってもよい。
以上のように，放送形態の異なる３つ（複数の一例）のテレビ放送信号各々について２つののチューナ（第１の選局手段，第２の選局手段）が設けられている。
尚，詳しくは後述する２画面表示モードＡにおいては，前記制御部１１により，前記地上アナログチューナ２Ｂ，前記地上デジタルチューナ４Ｂ，前記ＢＳデジタルチューナ６Ｂのいずれかが単一のチャンネルのテレビ番組信号のみを継続して抽出するように制御される。
【００１４】
前記地上アナログチューナ２Ｂ，前記地上デジタルチューナ４Ｂ，前記ＢＳデジタルチューナ６Ｂ各々により巡回的に抽出された複数のチャンネルにおけるテレビ番組信号各々は，前記地上アナログ受信回路７Ｂ，前記地上デジタル受信回路８Ｂ，前記ＢＳデジタル受信回路９Ｂにそれぞれ入力される。それらの回路では，入力された前記テレビ番組信号各々から映像信号，及び前記ＥＰＧ信号が抽出される。
前記地上アナログ受信回路７Ｂ，前記地上デジタル受信回路８Ｂ，前記ＢＳデジタル受信回路９Ｂにより抽出された前記映像信号各々は，前記静止画像抽出部１５に入力され，そこで前記映像信号各々に基づく静止画の番組映像が抽出される。抽出された静止画の番組映像の情報を表す静止画番組映像情報は前記画像メモリ１６に入力され記憶される。また，前記静止画像抽出部１５は，入力された映像信号を直接前記映像処理回路１３に出力する（信号をスルーする）機能も有する。尚，前記静止画像抽出部１５から前記映像処理回路１３に入力された前記映像信号に対しても，前記入力信号切替装置１０からの前記映像信号と同様に所定の処理が施された上で前記映像合成回路１４に入力される。
【００１５】
一方，前記地上アナログ受信回路７Ｂ，前記地上デジタル受信回路８Ｂ，前記ＢＳデジタル受信回路９Ｂにより抽出された前記ＥＰＧ信号各々は，前記静止画像抽出部１５を介して前記番組情報メモリ１７に入力される。また，前記ＥＰＧ信号各々から前記３つの放送形態による複数のチャンネルの番組情報が読み取られ，それらは前記番組情報メモリ１７に記憶される。
前記画像メモリ１６に記憶された前記静止画番組映像情報，及び前記番組情報メモリ１７に記憶された番組情報は，前記制御部１１による制御に従い，前述のような番組ガイドの表示を開始する場合に，前記重畳回路１８に対して出力される。前記重畳回路１８では，前記番組情報と前記静止画番組映像情報とが番組（チャンネル）毎に整理され，対応する（つまり，同じ番組の）情報同士が合成された信号である番組ガイド要素信号が生成される。前記番組ガイド要素信号は前記映像合成回路１４に入力される。
【００１６】
以上のように，前記映像合成回路１４には，前記映像処理回路１３による１又は２つの映像信号，及び前記重畳回路１８による番組ガイド信号が入力される。前記映像合成回路１４では，詳しくは後述するような各モードに応じて合成等の処理が施され，これにより表示画面が形成される。前記映像合成回路１４により掲載された表示画面の映像信号は，前記映像出力回路１９を介して液晶ドライバ，液晶ディスプレイ等からなる前記映像出力装置２０より出力される。
一方，前記音声処理回路２１に入力された前記音声信号は，そこで所定の音声処理（前記音声出力装置２３の特性に応じたイコライズ処理，サラウンド処理，視聴者による設定音量に基づいた信号レベルの調節処理等）が施された上で，前記音声出力回路２２を介してスピーカ等からなる前記音声出力装置２３より出力される。
【００１７】
（３）当該テレビジョン受像機Ｘの有するモードについて
前記テレビジョン受像機Ｘは，大別して通常モードと，２つの互いに異なる２画面表示モード（以下，第一の２画面表示モード，第二の２画面表示モードという）の３つのモードの切替機能を有する。以下，それらの各モードについて簡単に説明する。
前記通常モードでは，前記制御部１１に設定されている選択チャンネルに基づいて，前記入力信号切替装置１０は一つの前記選択チャンネルにおける前記映像信号のみを前記映像処理回路１３に入力させる。また，前記映像合成回路１４には，前記映像処理回路１３からの前記映像信号のみが入力され，合成処理は行われない。これにより，前記映像出力装置２０からは前記選択チャンネルの番組映像のみが動画で出力される。尚，前記通常モードでは，前記地上アナログチューナ２Ｂ，前記地上デジタルチューナ４Ｂ，前記ＢＳデジタルチューナ６Ｂは，前記制御部１１により前記３つの放送形態における複数のチャンネルのうちの１つを巡回的に順次選択し，入力されたテレビ放送信号から選択した１つのチャンネルの前記テレビ番組信号を抽出するように制御されるので，それらの抽出された前記テレビ番組信号に基づいて前記静止画番組映像情報を生成し，該静止画番組映像情報を前記画像メモリ１６へ記憶することが可能である。
【００１８】
また，前記第一の２画面表示モードに切り替えられると，図３のように表示画面が２分割され，２つのチャンネルにおける動画の番組映像が，前記映像出力装置２０により表示される。詳しくは，前記第一の２画面表示モードにおいては，前記選択チャンネルに加えてサブ選択チャンネルが操作入力により設定されており，前記選択チャンネルの動画の映像画面と前記サブ選択チャンネルの動画による番組映像が，２分割のマルチ画面により併せて表示される。
尚，前記選択チャンネルと前記サブ選択チャンネルの放送形態が異なる場合（例えば，前記選択チャンネルが地上波アナログ放送における複数のチャンネルの中から選択されており，前記サブ選択チャンネルがＢＳデジタル放送における複数のチャンネルの中から選択されているような場合）には，それぞれの動画の番組映像は前記地上アナログチューナ２Ａ，前記地上デジタルチューナ４Ａ，前記ＢＳデジタルチューナ６Ａのうちの適宜の２つにより抽出されたテレビ番組信号に基づいて生成される。（つまり，前記入力信号切替装置１０は，前記制御部１１に設定されている前記選択チャンネル及び前記サブ選択チャンネルに基づいて，それら２つの前記映像信号の両方を前記映像処理回路１３に入力させる。）この場合，前記地上アナログチューナ２Ｂ，前記地上デジタルチューナ４Ｂ，前記ＢＳデジタルチューナ６Ｂ各々は，前記通常モードと同様にそれぞれの放送形態における複数のチャンネルを巡回選択させることが可能であり，前記静止画番組映像情報を前記画像メモリ１６へ記憶することが可能である。
【００１９】
一方，前記選択チャンネルと前記サブ選択チャンネルの放送形態が同一である場合，例えば，両方とも地上波アナログ放送における複数チャンネルの中から選択されている場合には，前記地上アナログチューナ２Ａが前記選択チャンネルのテレビ番組信号を抽出し，地上アナログチューナ２Ｂが前記サブ選択チャンネルのテレビ番組信号を抽出するように制御される。（この場合，前記静止画像抽出部１５は前記地上アナログ受信回路７Ｂにより出力された映像信号をスルーし，前記映像処理回路１３に直接入力させる。）
従って，この場合には，地上アナログチューナ２Ｂは地上波アナログ放送の複数のチャンネルを巡回的に順次選択してテレビ番組信号を抽出する役割を果たさないので，地上波アナログ放送に関しては前記画像メモリ１６の前記静止画番組映像情報の記憶が停止される。
【００２０】
一方，前記第二の２画面表示モードにおいても，前記選択チャンネルと前記サブ選択チャンネルの番組映像が２画面表示される。
前記選択チャンネルと前記サブ選択チャンネルの放送形態が異なる場合には，前記テレビジョン受像機Ｘの各部は前記第一の２画面表示モードと同様の動作を行う。
一方，前記選択チャンネルと前記サブ選択チャンネルの放送形態が同一である場合には，前記地上アナログチューナ２Ｂ，前記地上デジタルチューナ４Ｂ，前記ＢＳデジタルチューナ６Ｂは，前記通常モードと同様に，前記制御部１１によりそれぞれの放送形態における複数のチャンネルのうちの１つを巡回的に順次選択し，そのように選択したチャンネルのテレビ番組信号を抽出するように制御される。また，前記第一の２画面表示モードと同様に前記選択チャンネルの番組映像は動画で表示されるが，前記サブ選択チャンネルの番組映像には巡回的に選択され抽出されたテレビ番組信号に基づく静止画が用いられる。尚，前記サブ選択チャンネルのテレビ番組信号が定期的に選択され抽出されることから，該静止画は定期的に更新される。
前記前記第二の２画面表示モードにおいても，前記通常モードと同様に，前記３つの放送形態（地上波アナログ放送，地上波デジタル放送，ＢＳデジタル放送）について前記静止画番組映像情報を生成し，該静止画番組映像情報を前記画像メモリ１６へ記憶することが可能である
【００２１】
（４）前記チャンネル選択装置Ａの前記番組ガイドを表示する機能の詳細について
図４（ａ）は，本発明の実施形態に係るチャンネル選択装置Ａにより番組ガイドが表示されるまでの処理手順を示すフローチャートである。以下，図４（ａ）を参照しつつ，前記チャンネル選択装置Ａによる，前記番組ガイドの表示までの処置手順について説明する。Ｓ１，Ｓ２…は処理手順（ステップ）の番号を表す。尚，これらの処理は，詳しくは以下に述べるように，前記制御部１１等の，前記チャンネル選択装置Ａの有する各ブロックにより実行される。また，これらの処理は，前記テレビジョン受像機Ｘが前記通常モード，前記第二の２画面表示モードに切り替えられた時点，若しくは前記第一の２画面表示モードにおいて前記選択チャンネルと前記サブ選択チャンネルとの放送形態が異なる場合等に，ステップＳ１から開始されるものである。
【００２２】
ステップＳ１では，前記制御部１１により前記地上アナログチューナ２Ｂ，前記地上デジタルチューナ４Ｂ，前記ＢＳデジタルチューナ６Ｂ各々が制御され，地上波アナログ放送，地上波デジタル放送，ＢＳデジタル放送各々における複数のチャンネルのテレビ番組信号が巡回的に順次抽出される。
ステップＳ１に続くステップＳ２では，ステップＳ１において巡回的に順次抽出された前記テレビ番組信号に含まれる前記映像信号が，前記地上アナログ受信回路７Ｂ，前記地上デジタル受信回路８Ｂ，前記ＢＳデジタル受信回路９Ｂ各々により抽出され，前記静止画像抽出部１５に入力される。また，前記静止画像抽出部１５により前記映像信号に基づいて前記静止画番組映像情報が生成される。その静止画像番組情報は前記制御部１１を介して，前記画像メモリ１６に記憶される。尚，前記静止画像番組情報は複数のチャンネルの識別情報を有しており，前記制御部１１はこの識別情報に基づいて，前記複数のチャンネル各々に対する最新の前記静止画像番組情報のみを順次更新しつつ前記画像メモリ１６に記憶させる。
このように，前記地上アナログチューナ２Ｂ，前記地上デジタルチューナ４Ｂ，前記ＢＳデジタルチューナ６Ｂ（第２の選局手段の一例）により順次抽出された最新のテレビ番組信号に基づく複数の前記静止画番組情報（第２のテレビ番組映像の情報の一例）を記憶する前記画像メモリ１６が，第２テレビ番組映像記憶手段の一例である。尚，このように記憶された前記静止画番組情報は，前記映像合成回路１４（番組映像一覧表示制御手段の一例）が前記番組ガイドの表示を開始する際の初期画像（初期映像）として用いられる。
【００２３】
ステップＳ２に続くステップＳ３では，前記地上アナログ受信回路７Ｂ，前記地上デジタル受信回路８Ｂ，前記ＢＳデジタル受信回路９Ｂにそれぞれ入力されたテレビ番組信号から前記ＥＰＧ信号が抽出される。また，該ＥＰＧ信号は前記番組情報メモリ１７に入力され，前記番組情報が前記ＥＰＧ信号から読み出され記憶される。前記番組情報が番組案内情報の一例であり，これを抽出（取得の一例）する前記地上アナログ受信回路７Ｂ，前記地上デジタル受信回路８Ｂ，前記ＢＳデジタル受信回路９Ｂが番組案内情報取得手段の一例である。
ステップＳ３に続くステップＳ４では，前記制御部１１により，前記入力部１２を介して前記番組ガイドの表示を要求する操作入力がなされたか否かが判別される。尚，前記番組ガイドの表示を要求する操作としては，前記テレビジョン受像機Ｘに対する操作入力のためのリモコンに設けられた番組ガイド表示ボタンの押圧操作，若しくはチャンネルの順次昇降選択を行うためのアップ／ダウンキーを所定時間継続して押圧し続ける操作などが考えられる。ステップＳ４において前記番組ガイドの表示を要求する操作入力がなされていない間は（Ｓ４のＮＯ），ステップＳ１〜ステップＳ３の操作が順次繰り返される一方，前記番組ガイドの表示を要求する操作入力がなされた場合には（Ｓ４のＹＥＳ）ステップＳ５に進む。
ステップＳ４に続くステップＳ５では，前記制御部１１の制御により，前記画像メモリ１６に記憶された前記静止画番組映像情報，及び前記番組情報メモリ１７に記憶された番組情報が，前記重畳回路１８に対して出力される。また，前記重畳回路１８（番組案内情報表示制御手段の一例）により，前記静止画番組映像情報の表す静止画（表示手段に表示させる番組映像の一部の一例）と併せて，前記番組情報から読み出された番組のタイトル（番組案内情報の一例）を表示する番組ガイド要素信号が生成され，その信号は前記映像合成回路１４に入力される。尚，前記番組ガイド要素信号には，複数のチャンネルの識別情報及び放送形態の情報も含まれており，前記チャンネルの識別情報も前記番組情報と併せて表示される。また，番組のタイトルが前記番組情報に含まれていない場合は，前記静止画のみを表示する前記番組ガイド要素信号を生成する。
【００２４】
ステップＳ５の処理が終了されると，前記映像合成回路１４により，前記選択チャンネルの前記映像信号と前記番組ガイド要素信号とに基づいて，図１に示されるような番組ガイドを表示する番組ガイド映像信号が生成され，前記映像出力装置２０より出力される。詳しくは，前記番組ガイド要素信号各々に含まれる前記チャンネル識別情報及び前記放送形態の情報が参照された上で，前記番組ガイドにおける前記番組ガイド要素信号各々に含まれる静止画の番組映像の配置（例えば，チャンネルの昇降順序に従った配置等）が決定され，決定された配置による表示を実現するような前記番組ガイド映像信号が生成される。
これにより，前記映像処理回路１３により前記映像合成回路１４に入力された前記選択チャンネルの前記映像信号に基づく番組映像（第１の選局手段により抽出されたテレビ番組信号に基づく第一のテレビ番組映像の一例）と，前記重畳回路１８により前記映像合成回路１４に入力された前記番組ガイド要素信号各々に基づく静止画の番組映像（第２の選局手段により順次抽出される複数チャンネル分のテレビ番組信号各々に基づく複数の第２のテレビ番組映像）とが，併せて前記映像出力装置２０（表示手段の一例）より表示される。
尚，複数の放送形態におけるテレビ放送信号各々から抽出された静止画の番組映像（第２のテレビ番組映像の一例）は，上述の３つの放送形態（地上波アナログ放送，地上波デジタル放送，ＢＳデジタル放送）毎に区分され，図１に示されるように，放送形態毎に異なる枠線（例えば，地上波アナログ放送の番組映像の枠線は細線，地上波デジタル放送の番組映像の枠線は破線，ＢＳデジタル放送の番組映像の枠線は太線，等）が用いられて表示される。尚，このような番組ガイドの表示処理を行う前記映像合成回路１４が番組映像一覧表示制御手段である。
【００２５】
ここで，前記制御部１１の有する前記ＲＯＭに記憶された制御プログラムには内部変数Ｎが定義されている。該変数Ｎの定義域は前述の放送形態各々における複数のチャンネル全てに対応しており，前記変数Ｎは，新たな選択チャンネルの候補を表している。また，前記入力部１２を介して所定の選択チャンネル確定操作がなされた際に，前記変数Ｎの表すチャンネル（及び放送形態）が新たな選択チャンネルとして設定される。
現在の前記変数Ｎの情報は前記映像合成回路１４に入力されており，前記映像合成回路１４により，前記番組ガイドに表示される前記番組映像βのうちの前記変数Ｎの表す番組映像におけるチャンネルの番号が，ポインタ２４によりポイントされた前記番組ガイド映像信号が生成され，前記映像出力装置２０により表示される。また，前記ポインタ２４によりチャンネルの番号がポイントされた番組映像（前記変数Ｎの表すチャンネルの番組映像）に対応する放送形態（以下，ポイント放送形態という）の番組映像各々の表示枠の色は，他の２つの放送形態の番組映像各々の表示枠と異なるものが用いられる。（例えば，前記ポイント放送形態の番組映像β各々の表示枠はオレンジ色，前記ポイント放送形態以外の番組映像β各々の表示枠は黒色，等）
視聴者は，前記ポインタ２４に基づいて，現在の選択チャンネルの候補がいずれのチャンネルであるか，及び，前記番組映像β各々の表示枠により，現在の選択チャンネルの候補がいずれの放送形態のものかを容易に視認することが可能である。また，詳しくは後述するように，視聴者は前記ポインタ２４によりポイントされる番組映像を変更する操作（前記変数Ｎの変更操作）を行うことにより，前記選択チャンネルの候補を選択することが可能である。
【００２６】
図４（ｂ）は，本発明の実施形態に係るチャンネル選択装置Ａにより番組ガイドの表示中の処理手順を示すフローチャートである。以下，図４（ｂ）を参照しつつ，前記チャンネル選択装置Ａによる，前記番組ガイドの表示中の処置手順について説明する。
尚，Ｓ１０１，Ｓ１０２…は処理手順（ステップ）の番号を表す。尚，これらの処理は，詳しくは以下に述べるように，前記制御部１１等の前記チャンネル選択装置Ａの有する各ブロックにより実行される。また，これらの処理は，前記番組ガイドが前記映像出力装置２０より表示された時点（前記映像合成回路１４が前記番組ガイド映像信号の出力を開始した時点）でステップＳ１０１の処理から開始される。
【００２７】
ステップＳ１０１では，前記制御部１１により，前記番組ガイドの表示を元に前記選択チャンネルを確定する操作入力が前記入力部１２を介してなされたか否かが判別される。前記選択チャンネルの確定が行われたと判別されると（Ｓ１０１のＹＥＳ），前記番組ガイドの表示が停止されると共に，新たに確定された前記選択チャンネルの動画の番組映像が表示されるように，前記地上アナログチューナ２Ａ，前記地上デジタルチューナ４Ａ，前記ＢＳデジタルチューナ６Ａのうちのいずれか，及び前記入力信号切替装置１０の制御が行われる。尚，新たな前記選択チャンネルの確定操作については後述する。
一方，前記選択チャンネルの設定が行われていないと判別されている限りは（Ｓ１０１のＮＯ），以下のステップＳ１０２以降の処理が順次繰り返される。
【００２８】
ステップＳ１０２は，図４（ａ）に示される前述のステップＳ１における処理と同様の処理であり，前記制御部１１により前記地上アナログチューナ２Ｂ，前記地上デジタルチューナ４Ｂ，前記ＢＳデジタルチューナ６Ｂ各々が制御され，地上波アナログ放送，地上波デジタル放送，ＢＳデジタル放送各々における複数のチャンネルのテレビ番組信号が巡回的に順次抽出される。
ステップＳ１０２に続くステップＳ１０３では，前記静止画像抽出部１５により，前記テレビ番組信号に基づいて前記静止画番組映像情報が生成される。該静止画番組映像情報は前記画像メモリ１６に記憶されずに直接前記重畳回路１８に入力され，既に表示されている静止画の番組映像を更新するのに用いられる。
ステップＳ１０３に続くステップＳ１０４は，図４（ａ）に示されるステップＳ３の処理と同様の処理である。ここで，前述のステップＳ３の処理では得られなかった新規の番組情報が抽出（取得）された場合には，後に説明する番組ガイドの更新時に前記新規の番組情報が用いられる。
ステップＳ１０４に続くステップＳ１０５では，前記重畳回路１８により，新たな前記静止画番組映像情報が入力される毎に前記番組情報メモリ１７の記憶情報（番組情報）が参照されつつ前記番組ガイド要素信号が順次生成され，前記映像合成回路１４に入力される。
ステップＳ１０５に続くステップＳ１０６では，前記映像合成回路１４により，ステップＳ１０５において生成された新たな前記番組ガイド要素信号が入力される毎に，前記番組ガイド要素信号に含まれる前記チャンネルの識別情報及び前記放送形態の情報が参照され，それらの情報の一致する旧の前記番組ガイド要素信号を新たな前記番組ガイド情報に置き換えた上で，前記番組ガイド映像信号を改めて生成する。
これにより，前記番組ガイドには順次前記第二の抽出機能（前記地上アナログチューナ２Ｂ，前記地上デジタルチューナ４Ｂ，前記ＢＳデジタルチューナ６Ｂ各々の機能）により抽出される最新の，複数チャンネル分のテレビ番組信号各々に基づく複数の静止画（第２のテレビ番組映像の一例）が表示される。
【００２９】
ステップＳ１０６に続くステップＳ１０７では，前記制御部１１により，前記入力部１２を介してチャンネルアップ／ダウン操作（前記アップ／ダウンキーの押圧操作）がなされたか否かが判別される。
Ｓ１０７においてチャンネルアップ／ダウン操作がなされていないと判別されている間は（Ｓ１０７ＮＯ），ステップＳ１０１〜ステップＳ１０６の処理が順次繰り返される。一方，チャンネルアップ／ダウン操作がなされたと判別された場合には（Ｓ１０７ＹＥＳ），ステップＳ１０８に進む。
ステップＳ１０８では，ステップＳ１０７において判別されたチャンネルアップ／ダウン操作に基づいて，前記制御部１１により前記変数Ｎの値が更新される。
ステップＳ１０８に続くステップＳ１０９では，ステップＳ１０８における前記変数Ｎの値の更新に伴い，前記変数Ｎの示すチャンネルの放送形態に変更があるか否かが判別される。放送形態に変更がないと判別されると（Ｓ１０９のＮＯ），ステップＳ１１０に進む。
【００３０】
ステップＳ１１０では，ステップＳ１０８において更新された前記変数Ｎの値に基づいて，前記映像合成回路１４により前記ポインタ２４がポイントするチャンネルの番号（つまり，現在の選択チャンネルの候補がいずれのチャンネルであるかの表示）が変更された前記番組ガイド映像信号が生成され，前記映像出力装置２０から出力される。ステップＳ１１０が終了されると，ステップＳ１に戻り，以上の処理を繰り返す。一方，ステップＳ１０９において放送形態に変更があると判別されると（Ｓ１０９のＹＥＳ），ステップＳ１１１に進む。
ステップＳ１１１では前記変更後の前記変数Ｎに対応する放送形態に基づいて，前記映像合成回路１４により，前記番組ガイドで表示される番組映像各々の表示枠の色が変更された前記番組ガイド映像信号が生成され，前記映像出力装置２０より出力される。ステップＳ１１１の処理が終了されると，ステップＳ１１０の処理が行われた上でステップＳ１０１に戻る。
【００３１】
尚，新たな前記選択チャンネルの確定操作の一例として考えられるのは，例えば前記アップ／ダウンキーの継続押圧の解除操作などが考えられる。つまり，前記した図５に示されるフローチャートにより，前記アップ／ダウンキーを継続して押圧している間は，前記変数Ｎが更新され，それに伴い前記ポインタ２４によりポイントされる前記番組映像のチャンネル番号が変更され続ける。そこで，前記制御部１１は，視聴者が前記アップ／ダウンキーの継続押圧の解除を行い，前記変数Ｎの変更が中止されたことを検知した時点で，その時点の変数Ｎに対応するチャンネルが新たな前記選択チャンネルとして選択されたものと認識する。
以上のように，視聴者は，前記アップ／ダウンキーの押圧操作を行うことにより前記ポインタ２４がポイントするチャンネル番号を変更させてゆき，前記ポインタ２４が所望のチャンネルの番号をポイントしている状態で，前記アップ／ダウンキーの継続押圧の解除操作を行うと，該チャンネルが新たな前記選択チャンネルとして設定される。
以上のように，前記制御部１１（出力対象チャンネル選択手段の一例）は，前記映像合成回路１４（番組映像一覧表示制御手段の一例）により前記映像出力装置２０（表示手段の一例）に表示された，静止画による前記番組映像β（第２のテレビ番組映像の一例）のうちの，視聴者による操作入力（ポインタ２４の移動）により選択された一の映像を選択し，その選択された番組映像βに対応するチャンネルを新たな出力対象の前記選択チャンネルとして設定する。
また，新たな前記選択チャンネルの確定操作の他例としては，前記番組ガイドを表示している際に，前記リモコンに設けられた複数のチャンネル各々のダイレクト選択キーの押圧操作も考えられる。つまり，前記制御部１１が，前記入力部１２を介して入力されたダイレクト選択操作入力から，前記複数のチャンネルのうちのいずれが前記選択チャンネルとして選択されたかを判別し，その判別結果に基づいて新たな前記選択チャンネルを設定する。
【実施例】
【００３２】
前述の実施形態では，各放送形態における複数のチャンネルが巡回的に一様に順次選択され，番組ガイドにより表示される番組映像が更新される例について開示したが，本発明はこれに限定されるものではない。
例えば，あるチャンネルについてテレビ番組信号を抽出したタイミングが悪く，偶然コマーシャル放送中に前記テレビ番組信号を抽出した場合には，そのテレビ番組信号に基づく前記静止画の番組映像を表示しても，視聴者は放送される番組の内容を想起することは困難である。従って，このようなチャンネルに対しては，前記番組ガイドにより表示される前記静止画の番組映像の更新を優先的に行うべきである。
【００３３】
そこで，本実施例に係るチャンネル選択装置は，前記複数のチャンネルのテレビ番組信号を順次抽出すると共に，該テレビ番組信号に基づいて，そのテレビ番組信号に対応するチャンネルがコマーシャル放送中であるか否かを判別し，コマーシャル放送中であると判別されたチャンネルに対しては優先的にテレビ番組信号の再抽出（静止画の抽出）を行うものである。
具体的には，図２に示される地上アナログ受信回路７Ｂ，地上デジタル受信回路８Ｂ，ＢＳデジタル受信回路９Ｂ各々が，順次選択されたチャンネルのテレビ番組信号から，映像信号，ＥＰＧ信号に加えて音声信号の抽出も行うものとする。
また，前記地上アナログ受信回路７Ｂ，地上デジタル受信回路８Ｂ，ＢＳデジタル受信回路９Ｂ各々と，前記制御部１１とを結ぶ経路上に，前記音声信号に基づいて，順次選択されたチャンネル各々がコマーシャル放送中であるか否かを判別するコマーシャル判別回路が設けられる。前記コマーシャル判別回路には，前記音声信号が入力される。
【００３４】
コマーシャル放送中には，前記音声信号はステレオ音声信号である場合が多く，一方，コマーシャルが放送されていない場合には，前記音声信号はモノラル信号であるか若しくは多重音声信号である場合が多い。従って，前記コマーシャル判別回路により，前記音声信号に基づいて，入力された音声信号がステレオ音声信号であるか，多重音声信号であるか，モノラル音声信号であるかの判別がなされる。また，この判別の結果は前記制御部１１に入力される。尚，この判別の具体的方法は，前記音声信号に重畳されている制御信号の周波数を測定する等，従来公知の方法に従うものとする。
前記制御部１１は，上述の判別の結果に基づいて，ステレオ音声信号であると判別された前記音声信号に対応するチャンネルについては，モノラル信号であると判別されるか，若しくは多重音声信号であると判別されるチャンネルに対応するチャンネルに比べて，前記テレビ番組信号の抽出の優先度を大きく設定する。例えば，基本的な巡回パターンとして，前述の実施形態と同様に，制御部１１は，チャンネル番号の小さなチャンネルからチャンネル番号の大きなチャンネルへと一巡してテレビ番組信号を抽出するように，前記地上アナログ受信回路７Ｂ，地上デジタル受信回路８Ｂ，ＢＳデジタル受信回路９Ｂ各々を制御する。この一巡により抽出された各チャンネルの前記テレビ番組信号に含まれる音声信号に基づいて，コマーシャル放送中であると判別されたチャンネルについては，次の一巡を行う前に，再び前記テレビ番組信号の抽出を行うように前記前記地上アナログ受信回路７Ｂ，地上デジタル受信回路８Ｂ，ＢＳデジタル受信回路９Ｂ各々を制御する。
【００３５】
また，抽出された前記テレビ番組信号に基づいて，前記静止画像抽出部１５により前記静止画番組映像情報が生成される。このように生成された前記静止画番組映像情報は前記制御部１１，前記画像メモリ１６を介して前記重畳回路１８に入力される。前記重畳回路１８では，前記静止画番組映像情報に基づく前記番組ガイド要素信号が生成される。前記映像合成回路１４は，該番組ガイド要素信号を用いて前記番組ガイドを更新する。
このようにすることで，コマーシャル放送中であると判別されるチャンネルについては，コマーシャル放送中でないと判別されている場合に比較してテレビ番組信号の抽出頻度（優先度）が上昇するので，チャンネル選択の際に表示されるのが望ましくないコマーシャル中の静止画による前記番組ガイドの表示が極力防止される。
【００３６】
前述の実施形態では，本発明の実施の形態に係るチャンネル選択装置Ａを具備するテレビジョン受像機Ｘが，地上波アナログ放送，地上波デジタル放送，ＢＳデジタル放送の３つの放送形態によるテレビ放送信号を入力するものであったが，これはあくまでも一例であり，ＣＡＴＶによるテレビ放送信号，ＣＳデジタル放送によるテレビ放送信号等を入力する場合等にも，本発明は当然適用可能である。
また，前述の実施形態では，前記番組ガイドに表示される番組映像各々に，その番組のタイトルの情報が併せて表示される例を開示したが，これに限られるものではなく，例えばその番組の放送時間帯，若しくは番組の出演者の情報等を併せて表示する例も考えられる。
また，前述の実施形態では，前記番組ガイドに表示される静止画の番組映像（図１における番組映像β）のみに対して，その番組のタイトル等の番組情報を併せて表示させる例について開示したが，前記選択チャンネルの動画の番組映像（図１における番組映像α）にも前記番組情報を併せて表示させてもよい。
【図面の簡単な説明】
【００３７】
【図１】本発明の実施形態に係るチャンネル選択装置Ａにより表示される番組ガイドの表示の一例を示す図。
【図２】本発明の実施形態に係るチャンネル選択装置Ａを具備するテレビジョン受像機Ｘの概略構成を示す図。
【図３】本発明の実施形態に係るチャンネル選択装置Ａによる２画面表示の一例を示す図。
【図４】本発明の実施形態に係るチャンネル選択装置Ａによる番組ガイド作成及び表示のまでの処理手順を示すフローチャート。
【図５】本発明の実施形態に係るチャンネル選択装置による番組ガイド表示後の処理手順を示すフローチャート。
【符号の説明】
【００３８】
α…選択チャンネルの動画の番組映像
β…複数のチャンネルの静止画の番組映像
Ａ…本発明の実施形態に係るチャンネル選択装置
Ｘ…チャンネル選択装置Ａを具備するテレビジョン受像機
１…地上アナログアンテナ
２Ａ…地上アナログチューナ
２Ｂ…地上アナログチューナ
３…地上デジタルアンテナ
４Ａ…地上デジタルチューナ
４Ｂ…地上デジタルチューナ
５…ＢＳデジタルアンテナ
６Ａ…ＢＳデジタルチューナ
６Ｂ…ＢＳデジタルチューナ
７Ａ…地上アナログ受信回路
７Ｂ…地上アナログ受信回路
８Ａ…地上デジタル受信回路
８Ｂ…地上デジタル受信回路
９Ａ…ＢＳデジタル受信回路
９Ｂ…ＢＳデジタル受信回路
１０…入力信号切替装置
１１…制御部
１２…入力部
１３…映像処理回路
１４…映像合成回路
１５…静止画像抽出部
１６…画像メモリ
１７…番組情報メモリ
１８…重畳回路
１９…映像出力回路
２０…映像出力装置
２１…音声処理回路
２２…音声出力回路
２３…音声出力装置
２４…ポインタ
【図１】
2006140593.tif 000003
【図２】
2006140593.tif 000004
【図３】
2006140593.tif 000005
【図４】
2006140593.tif 000006
【図５】
2006140593.tif 000007